(57)【特許請求の範囲】
【請求項１】
前面が開口された箱本体と、上下２カ所に設けられた蝶番部材により前記箱本体に蝶着され、前記開口された前面を閉塞／開放する扉板とを有する箱体において、前記扉板の傾きを調整する箱体の扉調整構造であって、
前記蝶番部材の箱本体側蝶番片を取り付ける前記箱本体の蝶番取付部は、前記箱本体の側面に平行するよう配置されて、前記箱本体側蝶番片をねじ止めするための複数のネジ孔を有し、前記箱本体側蝶番片をスペーサ部材を介在させてねじ止め可能とし、
前記スペーサ部材は、前記ねじ止めするねじの位置に合わせて切り欠きが設けられて成り、複数の前記切り欠きのうち、上端に形成された切り欠きは、前記スペーサ部材の長手方向となる箱本体上方に折り曲げて延長形成した略Ｌ字状を成すフック状の切り欠きであると共に、他の切り欠きは横方向に切り欠いた直線状の切り欠きであり、
前記蝶番取付部と前記箱本体側蝶番片とを前記ねじにより連結した状態で、前記切り欠きに前記ねじを挿入することで、前記蝶番取付部と前記箱本体側蝶番片との間に前記スペーサ部材を挿入可能としたことを特徴とする箱体の扉調整構造。
【発明の詳細な説明】
【技術分野】
【０００１】
本発明は、壁面に取り付けて電気機器等を収納する箱体に関し、詳しくはその箱体の扉板の傾きを調整する扉調整構造に関する。
【背景技術】
【０００２】
従来の壁面に設置される電気機器収納箱は、本体の開放された前面が本体に蝶着された扉板で閉塞される構造のものが広く採用されている。この壁面に設置される箱体の場合、取り付ける壁面の凹凸や収納する機器の重量等で本体に歪みが発生することがあるし、扉板自体の自重により片下りが発生することがある。
そのような場合は扉板のスムーズな開閉が難しくなるため、扉板の蝶着部にワッシャーを嵌合（特許文献１参照）させたり、箱本体側に取り付ける蝶番の支持金具のねじ止め孔を長孔として蝶番を前後に移動可能に構成（特許文献２参照）し、扉板の片下りを調整して箱本体との隙間を改善できるよう構成されたものがあった。
【先行技術文献】
【特許文献】
【０００３】
【特許文献１】特開２０００−２０３７号公報（図５）
【特許文献２】特開２００９−２７７９７８号公報
【発明の概要】
【発明が解決しようとする課題】
【０００４】
しかしながら、ワッシャーを嵌合させる形態は、ワッシャーを介在させるために扉を本体から分離する作業、即ち蝶番のピンを抜き取る作業が発生するため、簡易な作業ではなかった。また、蝶番の支持金具を移動させる形態は、扉を取り外す必要はないが、ねじに緩みが発生すると再び片下りが発生してしまう問題があった。
【０００５】
そこで、本発明はこのような問題点に鑑み、扉を取り外すこと無く、またねじの緩みに左右されず扉の傾きを調整できる箱体の扉調整構造を提供することを目的としている。
【課題を解決するための手段】
【０００６】
上記課題を解決する為に、請求項１の発明は、前面が開口された箱本体と、上下２カ所に設けられた蝶番部材により箱本体に蝶着され、開口された前面を閉塞／開放する扉板とを有する箱体において、扉板の傾きを調整する箱体の扉調整構造であって、蝶番部材の箱本体側蝶番片を取り付ける箱本体の蝶番取付部は、箱本体の側面に平行するよう配置されて、箱本体側蝶番片をねじ止めするための複数のネジ孔を有し、箱本体側蝶番片をスペーサ部材を介在させてねじ止め可能とし、スペーサ部材は、ねじ止めするねじの位置に合わせて切り欠きが設けられて成り、複数の切り欠きのうち、上端に形成された切り欠きは、スペーサ部材の長手方向となる箱本体上方に折り曲げて延長形成した略Ｌ字状を成すフック状の切り欠きであると共に、他の切り欠きは横方向に切り欠いた直線状の切り欠きであり、蝶番取付部と箱本体側蝶番片とをねじにより連結した状態で、切り欠きにねじを挿入することで、蝶番取付部と箱本体側蝶番片との間にスペーサ部材を挿入可能としたことを特徴とする。
この構成によれば、上下２カ所に設けた蝶番部材のうちの一方の蝶番部材の箱本体側の蝶番取付部にスペーサ部材を挟持させれば、扉板の傾きの調整、即ち片下りの調整が可能となる。しかも、間に配置されるスペーサ部材は、ねじ位置に合わせて切り欠きが設けられているため、ねじを抜き取ること無く蝶番取付部と箱本体側蝶番片との間に挿入して配置でき、簡易な操作で扉板の傾きを調整できる。また、箱本体側に使用されるねじに緩みが発生しても、スペーサ部材が抜け落ちない限り、扉板に傾きが変化することがなく安定した状態を維持できる。
【０００７】
更に、スペーサ部材の切り欠きのうち端部に形成された切り欠きがフック状に形成されているため、蝶番取付部と箱本体側蝶番片との間の所定位置に配置した状態でハンガーのようにねじにぶら下がった状態を維持でき外れ難い。よって、隙間に挿入したスペーサ部材は抜け難く、簡易な作業で取り付けできる。
【発明の効果】
【０００８】
本発明によれば、上下２カ所に設けた蝶番部材のうちの一方の蝶番部材の箱本体側の蝶番取付部にスペーサ部材を挟持させれば、扉板の傾きを調整でき、片下りの修正が可能となる。しかも、間に配置されるスペーサ部材はねじ位置に合わせて切り欠きが設けられているため、ねじを抜き取ること無く蝶番取付部と箱本体側蝶番片との間に挿入して配置でき、簡易な操作で扉板の傾きを調整できる。また、箱本体側に使用されるねじに緩みが発生しても、スペーサ部材が抜け落ちない限り、扉板に傾きが発生することがなく安定した状態を維持できる。
【図面の簡単な説明】
【０００９】
【図１】本発明に係る箱体の扉調整構造の一例を示す説明図であり、扉板を開けた箱体の部分斜視図である。
【図２】扉板を閉じた状態の箱体蝶着部の横断面説明図である。
【図３】スペーサ部材の他の形状を示し、（ａ）は全ての切り欠きをフック状に形成したもの、（ｂ）は切り欠きの他の形状を示している。
【発明を実施するための形態】
【００１０】
以下、本発明を具体化した実施の形態を、図面を参照して詳細に説明する。図１は本発明に係る箱体の扉調整構造の一例を示し、扉を開けた箱体の部分斜視図を示している。図１において、１は壁面に取り付けられて機器が収納される箱本体、２は箱本体１の開口された前面を閉塞する扉板、３は扉板２を箱本体に回動可能に連結する蝶番部材、４は扉板２の傾きを調整するためのスペーサ部材である。
箱本体１と扉板２とは、図１に示す上部の蝶番部材３と図示しない下部の蝶番部材３の２つの蝶番部材３により連結され、箱本体１の開放された前面に対して扉板２を回動して閉塞／開放を自在としている。
【００１１】
蝶番部材３は、箱本体側蝶番片３１、扉板側蝶番片３２、そして両者を連結して回動軸となるピン３３を有している。図２は、この蝶番部材３の中央で切断した箱体蝶番部の横断面説明図であり、扉板２を閉じた状態を示している。
この図２に示すように、箱本体１の蝶番取付部１１は、箱本体１の側面１ａに平行に配置され、蝶番取付部１１の側面１ａ側となる背面に箱本体側蝶番片３１が取り付けられる。
【００１２】
箱本体側蝶番片３１は箱本体１の蝶番取付部１１に密着する平坦な取付面３１ａと、ピン３３を挿通する筒体３１ｂとを有し、筒体３１ｂは上下２カ所に形成されている。取付面３１ａの上下２カ所には、ネジ５を螺入するねじ孔３１ｃが形成されている。尚、対応する蝶番取付部１１にはねじ５を挿通する孔１１ａが穿設されている。
この取付面３１ａが蝶番取付部１１の背面に配置されて、箱本体１の内部方向から蝶番取付部１１を介して取付面３１ａにねじ５を螺入することで、箱本体側蝶番片３１が密着する。
【００１３】
そして、扉板側蝶番片３２はピン３３を挿通する筒体であり、箱本体側蝶番片３１の一対の筒体３１ｂの間に配置される筒体が扉板２に溶接されて形成されている。
【００１４】
スペーサ部材４は長方形の板体であり、図１に示すようにねじ５の位置に合わせて、即ち取付面３１ａに形成されたねじ孔３１ｃに合わせて、２カ所に切り欠き４１（第１切り欠き４１ａ，第２切り欠き４１ｂ）が設けられている。但し、双方の切り欠き４１の形状は異なり、第１切り欠き４１ａは切り欠いた内部がスペーサ部材４の長手方向外側に向けて延長して切り欠かれ、全体でＬ字状に形成されたフック状の切り欠きであり、第２切り欠き４１ｂは単純なＵ字状の切り欠きである。
尚、スペーサ部材４は金属板で作製しても良いが、蝶番部材３と面接触するため合成樹脂製としても良く、合成樹脂製とすれば軽量化でき扱い易い。
【００１５】
このように形成されたスペーサ部材４の取り付けは、次のように行われる。扉板２が箱本体１に取り付けられた箱体において、２カ所のねじ５を緩めて箱本体側蝶番片３１の取付面３１ａと箱本体１の蝶番取付部１１との間に隙間を形成させる。そして、形成させた隙間に対して、図１の矢印Ｍ１（図２の矢印Ｍ２）に示すように平行となる箱本体１の奥部から前方に向けてスペーサ部材４を移動させて挿入する。
【００１６】
このとき、第１切り欠き４１ａが上側となるようスペーサ部材４を配置して挿入する。この結果、Ｌ字状に形成された第１切り欠き４１ａのフック作用により、挿入されたねじ５が引っかかり、ぶら下がる状態を維持してスペーサ部材４は簡単に抜け落ちることがない。
挿入後は、緩めたねじ５を締めれば、スペーサ部材４の装着は終了する。但し、スペーサ部材を１枚挿入しただけでは扉板２の傾き（片下り）の矯正が十分でなければ、追加挿入が行われることになる。
【００１７】
このように、上下２カ所に設けた蝶番部材３のうちの一方の蝶番部材３の箱本体側の蝶番取付部１１にスペーサ部材４を挟持させれば、扉板２の傾きの調整、即ち片下りの調整が可能となる。しかも、間に配置されるスペーサ部材４は、ねじ５の位置に合わせて切り欠き４１が設けられているため、ねじ５を抜き取ること無く蝶番取付部１１と箱本体側蝶番片３１との間に挿入して配置でき、簡易な操作で扉板２の傾きを調整できる。また、箱本体１側に使用されるねじ５に緩みが発生しても、スペーサ部材４が抜け落ちない限り、扉板２に傾きが変化することがなく安定した状態を維持できる。
更に、スペーサ部材４の切り欠き４１は、端部に形成された１カ所がフック状に形成されているため、蝶番取付部１１と箱本体側蝶番片３１との間の所定位置に配置した状態でハンガーのようにねじ５にぶら下がった状態を維持するため外れ難い。よって、隙間に挿入したスペーサ部材４は抜け難く、簡易な作業で取り付けできる。
【００１８】
尚、上記形態では、スペーサ部材４に形成した２つの切り欠き４１のうち第１切り欠き４１ａのみフック状としたが、図３（ａ）に示すように双方の切り欠き４１を上記第１切り欠き４１ａと同様にフック状に形成しても良い。但しこの場合、同一方向に向けて形成される。また、フック状の切り欠き４１の他の形状として図３（ｂ）に示すように、折り曲げず斜め方向に直線状に切り欠いて形成（第３切り欠き４１ｃ）しても良い。
また、スペーサ部材４は２カ所に切り欠き４１を設けているが、ねじ止めするねじの数に応じて変更されるものである。その場合、フック状の切り欠き４１は，一方の端部の１カ所に対して形成すれば良いが、同一方向にＬ字に或いは傾斜形成すれば全ての切り欠きをフック状に形成しても良く同様に外れ難い。
更に、片下り等の歪みが発生していない通常状態では、上下の蝶番部材３に対して同一枚数のスペーサ部材４を挟持させておくことでスペーサ部材４の保管ができるし紛失を防止できる。そして、片下り等が発生した際に速やかに対応できる。また、スペーサ部材４は、異なる厚みのものを用意しておくと便利である。
【符号の説明】
【００１９】
１・・箱本体、２・・扉板、３・・蝶番部材、４・・スペーサ部材、５・・ねじ、１１・・蝶番取付部、３１・・箱本体側蝶番片、３１ｃ・・ネジ孔、３２・・扉板側蝶番片、３３・・ピン、４１・・切り欠き。
【図１】
0006440430.tif 000002
【図２】
0006440430.tif 000003
【図３】
0006440430.tif 000004